Podtech/llm-jp-corpus-v4-ja_patent huggingface dataset:
【手続補正書】
【提出日】平成27年10月5日(2015.10.5)
【手続補正１】
【補正対象書類名】特許請求の範囲
【補正対象項目名】全文
【補正方法】変更
【補正の内容】
【特許請求の範囲】
【請求項１】
検出器アレイと、
検出器アレイに結合されたコンピュータとを備え、
前記コンピュータは、
コンピュータ断層（ＣＴ）撮影モダリティを使用して収集された第１の一連の画像にアクセスし、
関心組織を示す所定のピクセル強度値を受信し、
前記第１の一連の画像に含まれる各画像スライスに対し前記所定のピクセル強度値を閾値として使用して前記関心組織を示すピクセルを各スライス内で識別し、
前記第１の一連の画像から前記関心組織を最も良く表す単一の画像スライスを自動的に選択し、
前記関心組織を最も良く表す前記単一の画像スライスに関心領域を指し示す第１のビジュアルインジケータを自動的に配置し、
前記関心領域を示す前記第１のビジュアルインジケータを前記第１の一連の画像の残りの画像スライスに自動的に伝搬し、
第１の関心領域ピクセル強度値に基づいて、前記第１の一連の画像内で前記第１のビジュアルインジケータにより示された前記関心領域を自動的に解析し、
前記第１の一連の画像での前記関心領域の最終う位置に基づいて第２のイメージングモダリティを使用して得られる第２の一連の画像の少なくとも１つの第２の画像に前記関心領域を指し示す第２のビジュアルインジケータを自動的に伝搬し、
第２の関心領域ピクセル強度値に基づいて、前記第２の画像内で前記第２のビジュアルインジケータにより示された前記関心領域を自動的に解析し、
少なくとも前記第１及び第２の関心領域ピクセル強度値に基づいて、前記第２のビジュアルインジケータを自動的に再配置するように構成される、医療画像診断システム。
【請求項２】
前記コンピュータは、複数の所定の基準を使用して、前記ＣＴ画像の前記関心領域を自動的に識別するようにさらに構成される、請求項１記載の医療画像診断システム。
【請求項３】
前記関心組織は肝臓である、請求項１または２に記載の医療画像診断システム。
【請求項４】
前記コンピュータは、
前記ＣＴ画像を一連のＰＥＴ画像に登録するようにさらに構成される、請求項１乃至３のいずれかに記載の医療画像診断システム。
【請求項５】
前記コンピュータはさらに、
前記視覚的指示内の領域および前記ビジュアルインジケータ外の別の領域の統計を自動的に計算するようにさらに構成される、請求項１乃至４のいずれかに記載の医療画像診断システム。
【請求項６】
前記コンピュータは、複数の決定された統計に基づいて前記ビジュアルインジケータを再配置するようオペレータに求めるようにさらに構成される、請求項１乃至５のいずれかに記載の医療画像診断システム。
【請求項７】
一連のコンピュータ断層撮影（ＣＴ）画像にアクセスし、
関心組織を示す所定のピクセル強度値を受信し、
前記一連のコンピュータ断層撮影（ＣＴ）画像に含まれる各画像スライスに対し前記所定のピクセル強度値を閾値として使用して前記関心組織を示すピクセルを各スライス内で識別し、
前記一連のコンピュータ断層撮影（ＣＴ）画像から前記関心組織を最も良く表す単一の画像スライスを自動的に選択し、
前記関心組織を最も良く表す前記単一の画像スライスに関心領域を指し示す第１のビジュアルインジケータを自動的に配置し、
前記関心領域を示す前記第１のビジュアルインジケータを前記一連のコンピュータ断層撮影（ＣＴ）画像の残りの画像スライスに自動的に伝搬し、
第１の関心領域ピクセル強度値に基づいて、前記一連のコンピュータ断層撮影（ＣＴ）画像内で前記第１のビジュアルインジケータにより示された前記関心領域を自動的に解析し、
前記一連のコンピュータ断層撮影（ＣＴ）画像での前記関心領域の最終う位置に基づいて第２のイメージングモダリティを使用して得られる一連の陽電子放出断層撮影（ＰＥＴ）画像に前記関心領域を指し示す第２のビジュアルインジケータを自動的に伝搬し、
第２の関心領域ピクセル強度値に基づいて、前記陽電子放出断層撮影（ＰＥＴ）画像内で前記第２のビジュアルインジケータにより示された前記関心領域を自動的に解析し、
少なくとも前記第１及び第２の関心領域ピクセル強度値に基づいて、前記第２のビジュアルインジケータを自動的に再配置するようコンピュータに命令するようにプログラムされる、非一時的コンピュータ可読媒体。
【請求項８】
前記コンピュータは、複数の所定の基準を使用して、前記ＣＴ画像の前記関心領域を自動的に識別する、請求項７記載の非一時的コンピュータ可読媒体。
【請求項９】
前記関心組織は肝臓である、請求項７または８に記載の非一時的コンピュータ可読媒体。
【請求項１０】
関心組織を自動的に表示するための方法であって、
第１のイメージングモダリティを使用して得られた第１の一連の医療画像と第２のイメージングモダリティを使用して得られた第２の一連の医療画像にアクセスするステップと、
関心組織を示す所定のピクセル強度値を受信するステップと、
前記第１の一連の画像に含まれる各画像スライスに対し前記所定のピクセル強度値を閾値として使用して前記関心組織を示すピクセルを各スライス内で識別するステップと、
前記第１の一連の画像から前記関心組織を最も良く表す単一の画像スライスを自動的に選択するステップと、
前記関心組織を最も良く表す前記単一の画像スライスに関心領域を指し示す第１のビジュアルインジケータを自動的に配置するステップと、
前記関心領域を示す前記第１のビジュアルインジケータを前記第１の一連の画像の残りの画像スライスに自動的に伝搬するステップと、
第１の関心領域ピクセル強度値に基づいて、前記第１の一連の画像内で前記第１のビジュアルインジケータにより示された前記関心領域を自動的に解析するステップと、
前記第１の一連の画像での前記関心領域の最終う位置に基づいて第２のイメージングモダリティを使用して得られる第２の一連の画像の少なくとも１つの第２の画像に前記関心領域を指し示す第２のビジュアルインジケータを自動的に伝搬するステップと、
第２の関心領域ピクセル強度値に基づいて、前記第２の画像内で前記第２のビジュアルインジケータにより示された前記関心領域を自動的に解析し、
少なくとも前記第１及び第２の関心領域ピクセル強度値に基づいて、前記第２のビジュアルインジケータを自動的に再配置するステップとを備える方法。
【請求項１１】
前記第１のイメージングモダリティは、コンピュータ断層撮影（ＣＴ）撮像システムまたは、磁気共鳴映像法（ＭＲＩ）システムを備え、前記第２のモダリティは、陽電子放出断層撮影（ＰＥＴ）システムを備える、請求項１０記載の方法。
【請求項１２】
前記関心組織は肝臓である、請求項１０または１１に記載の方法。
【手続補正書】
【提出日】平成27年9月25日(2015.9.25)
【手続補正１】
【補正対象書類名】明細書
【補正対象項目名】０００３
【補正方法】変更
【補正の内容】
【０００３】
発電を目的としたソーラーパネルの利用は、個人および事業が電力コスト削減および温室効果ガス排出削減のための方法を模索するにしたがって拡大を続けている。太陽光電力の利用が増大するにつれて、太陽光電力を生産するために使用されるアレイのサイズも増大している。このエネルギーを繋ぎ合わせるためには、アレイの各部分からの電気出力を統合することが望ましいが、そのためにはそうした様々な部分の出力の監視し、ソーラーアレイのある部分における不具合の有無を検出できるようにすることが望ましい。重大な損傷へと繋がりうる不具合の一つは、アーク放電である。大規模なソーラーアレイは高い電圧を生成し、このアレイからの回路の一つに短絡があれば、ソーラーパネルが太陽光の中にある限り配線がアーク放電する。このアーク放電は、極度な高温を発生させ、絶縁部品、連結部品、または容器を、燃焼させるかまたは溶融させる可能性がある。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２０１１／０１２１９８４号明細書
（特許文献２）  米国特許出願公開第２０１１／００９０６０７号明細書
（特許文献３）  韓国登録特許第１０−０９９９９７８号公報
（特許文献４）  韓国登録特許第１０−０９９６６２７号公報
（特許文献５）  特開２０１１−１０１５３７号公報
【手続補正書】
【提出日】平成27年10月26日(2015.10.26)
【手続補正１】
【補正対象書類名】特許請求の範囲
【補正対象項目名】全文
【補正方法】変更
【補正の内容】
【特許請求の範囲】
【請求項１】
神経保護を必要とする対象の耳内のニューロンの神経保護を提供するために使用するための医薬の製造のための、配列番号１〜３のいずれか１つに示される配列を有するｍＲＮＡをコードするＣＡＳＰ２遺伝子の発現を下方制御する二本鎖ＲＮＡ（ｄｓＲＮＡ）化合物またはその塩の使用。
【請求項２】
前記ｄｓＲＮＡ化合物が、配列番号８に示されるヌクレオチド配列を有するセンス鎖と、配列番号９に示されるヌクレオチド配列を有するアンチセンス鎖とを含む、請求項１に記載の使用。
【請求項３】
前記ニューロンが、神経節内に含まれる、請求項１または２に記載の使用。
【請求項４】
前記神経節が、らせん神経節または前庭神経節である、請求項３に記載の使用。
【請求項５】
前記神経保護が、細胞死からニューロンを保護することを含む、請求項１〜４のいずれか一項に記載の使用。
【請求項６】
前記ニューロンの細胞死が、アポトーシス細胞死を含む、請求項５に記載の使用。
【請求項７】
前記ニューロンの細胞死が、疾患または障害、虚血、身体的／器質的外傷、化学薬品、感染病原体、免疫反応、および栄養の不均衡のうちの１つ以上に関連している、請求項５または６に記載の使用。
【請求項８】
前記ニューロンの細胞死が、疾患または障害と関連している、請求項７に記載の使用。
【請求項９】
前記対象が、聴覚器官のまたは前庭器官の病理学的異常に関連している疾患または状態の１つ以上に罹っているか、または発病する危険性がある、請求項１に記載の使用。
【請求項１０】
前記疾患または状態が、突発性眩暈、聴力損失、耳鳴、および耳閉塞感から成る群から選択される症状に関連している、請求項９に記載の使用。
【請求項１１】
前記対象が、メニエール病に罹っているか、または罹りやすい、請求項９に記載の使用。
【請求項１２】
前記神経保護が、蝸牛機能のおよび／または前庭機能の回復を含む、請求項１に記載の使用。
【請求項１３】
前記ｄｓＲＮＡ化合物が、前記対象の内耳内の細胞中のＣＡＳＰ２発現を下方制御する、請求項１〜１２のいずれかに記載の使用。
【請求項１４】
前記ｄｓＲＮＡ化合物が、構造：
5’ z”-GCCAGAAUGUGGAACUCCU-Z’ 3’（センス鎖、配列番号２４）
3’ Z-CGGUCUUACACCUUGAGGA 5’（アンチセンス鎖、配列番号２５）
を有し、式中、各Ａ、Ｃ、Ｕ、およびＧは、非修飾もしくは修飾リボヌクレオチド、または非定型的部分であり、各連続するリボヌクレオチドもしくは非定型的部分は、次のリボヌクレオチドもしくは非定型的部分とホスホジエステル結合によって接合されており、前記センス鎖は、５’終端から数えて、１、２、３、４、５、６、７、８、９、１０、１１、１２、１３、１４、１５、１６、１７、および１９位に非修飾リボヌクレオチド、１８位にＬ−デオキシシチジン（配列番号２４に示される）を含み、前記アンチセンス鎖は、少なくとも５つの交互の非修飾および２’−Ｏ−メチル糖修飾リボヌクレオチドを含み、ｚ”、Ｚ、およびＺ’は任意選択である、請求項１〜１３のいずれかに記載の使用。
【請求項１５】
各ＺおよびＺ’は不在であり、前記アンチセンス鎖は、５’終端から数えて、２、４、６、８、１１、１３、１５、１７、および１９位のそれぞれに２’Ｏ−メチル糖修飾リボヌクレオチド、および１、３、５、７、９、１０、１２、１４、１６、および１８位のそれぞれに非修飾リボヌクレオチド（配列番号２５に示される）を含む、請求項１４に記載の使用。
【請求項１６】
ｚ”が、前記センス鎖（配列番号２６）の５’終端に共有結合し、逆位デオキシ脱塩基部分を含む、請求項１５に記載の使用。
【請求項１７】
前記ｄｓＲＮＡ分子が、経鼓室（ｔｒａｎｓｔｙｍｐａｎｉｃ）投与用に製剤化される、請求項１〜１６のいずれかに記載の使用。
【請求項１８】
前記ｄｓＲＮＡ分子が、点耳剤として製剤化される、請求項１〜１６のいずれかに記載の使用。
【請求項１９】
前記対象が、哺乳動物である、請求項１〜１８のいずれかに記載の使用。
【請求項２０】
前記対象が、ヒトである、請求項１９に記載の使用。
【手続補正書】
【提出日】平成27年10月5日(2015.10.5)
【手続補正１】
【補正対象書類名】特許請求の範囲
【補正対象項目名】全文
【補正方法】変更
【補正の内容】
【特許請求の範囲】
【請求項１】
スプレッドシートにおいてレポートを作成するシステムであって、
中央処理装置と、
命令をエンコードするメモリと
を含み、前記命令は、前記中央処理装置により実行されたときに、前記中央処理装置に、
前記スプレッドシートと関連するデータ・アイテムのソースを識別するようにプログラムされるデータ・ソース・モジュールと、
前記スプレッドシートと関連する前記データ・アイテムの一部を含む前記レポートを生成し、前記データ・アイテムのいずれが前記レポートと関連するかを識別するようにプログラムされるアクティブ・モジュールと、
前記レポートを変更するためフィールド・ペインを表示するようにプログラムされるディスプレイ・モジュールであって、前記フィールド・ペインはアクティブ・タブと、オール・タブを含み、前記アクティブ・タブは前記レポートに関連すると決定されたデータ・アイテムを表示し、前記オール・タブは前記スプレッドシートと関連する前記データ・アイテムの全てを表示する、ディスプレイ・モジュール
を作成させる
システム。
【請求項２】
請求項１に記載のシステムであって、前記データ・アイテムは、前記スプレッドシートの１以上のデータ領域と関連するデータ・フィールドを含む、システム。
【請求項３】
請求項１に記載のシステムであって、前記データ・アイテムは、前記スプレッドシートに含まれる１以上の外部データ・ストアに関連するデータ・フィールドを含む、システム。
【請求項４】
請求項１に記載のシステムであって、前記データ・アイテムは１以上のテーブルを含み、前記１以上のテーブルの各々は２以上のディメンションを含むシステム。
【請求項５】
請求項４記載のシステムであって、前記１以上のテーブルは前記オール・タブにおいて折りたたんだフォーマットのデフォールトで示される、システム。
【請求項６】
請求項４記載のシステムであって、前記１以上のテーブルは前記アクティブ・タブにおいて展開したフォーマットのデフォールトで示される、システム。
【請求項７】
請求項４記載のシステムであって、関連付けられたテーブルは前記フィールド・ペイン上でクラスター化される、システム。
【請求項８】
請求項１記載のシステムであって、ユーザーは、前記アクティブ・タブおよび前記オール・タブを選択して、前記ディスプレイ・モジュールによって設けられる表示の間を切り替えることができる、システム。
【請求項９】
請求項１記載のシステムであって、前記データ・アイテムに関連するフィールドが前記レポートに付加されたときに、前記データ・アイテムは、前記アクティブ・タブに付加される、システム。
【請求項１０】
スプレッドシートのためのユーザインターフェースを生成する方法であって、
計算デバイスにより、前記スプレッドシートに関連する全てのデータ・アイテムに対するソースを識別するステップと、
前記スプレッドシートに関連する前記データ・アイテムの一部を含むレポートを生成するステップと、
前記データ・アイテムのいずれが前記レポートに関連するかを識別するステップと、および
前記レポートを修正するためにフィールド・ペインを表示するステップであって、前記フィールド・ペインはアクティブ・タブとオール・タブを含み、前記アクティブ・タブは前記レポートと関連すると決定されたデータ・アイテムをリストし、前記オール・タブは前記スプレッドシートと関連する前記データ・アイテムの全てをリストする、ステップ
を含む方法。
【請求項１１】
請求項１０記載の方法であって、前記データ・アイテムは前記スプレッドシートの１以上のデータ領域と関連するデータ・フィールドを含む、方法。
【請求項１２】
請求項１０記載の方法であって、前記データ・アイテムは前記スプレッドシートに含まれる１以上の外部ストアと関連するデータ・フィールドを含む、方法。
【請求項１３】
請求項１０記載の方法であって、前記データ・アイテムは１以上のテーブルを含み、前記１以上のテーブルの各々は２以上のディメンションを含む、方法。
【請求項１４】
請求項１３記載の方法であって、前記１以上のテーブルは前記オール・タブにおいて折りたたんだフォーマットのデフォールトで示される、方法。
【請求項１５】
請求項１３記載の方法であって、前記１以上のテーブルは前記アクティブ・タブにおいて展開したフォーマットのデフォールトで示される、方法。
【請求項１６】
請求項１３記載の方法は、前記フィールド・ペイン上で関連するテーブルをクラスター化するステップをさらに含む、方法。
【請求項１７】
請求項１０記載の方法は、表示間を切り替えるために、前記アクティブ・タブと前記オール・タブを選択することをユーザーに可能にするステップをさらに含む、方法。
【請求項１８】
請求項１０記載の方法であって、前記データ・アイテムが前記レポートに付加されることを可能にするステップと、
前記アクティブ・タブに前記データ・アイテムを付加するステップと
を含む、方法。
【請求項１９】
スプレッドシートにおいてレポートを生成するのに利用するためのフィールド・ペインを生成する方法であって、
計算デバイスにより、データ領域、および前記スプレッドシートに関連するデータ・アイテムに対して関連するディメンションを識別するステップであって、前記データ・アイテムは、前記スプレッドシートからのデータおよび外部データ・ストアからのデータを含む、ステップと、
レポートに含まれる関連するディメンションの選択を受け取るステップと、
前記関連するディメンションを含む前記レポートを生成するステップと、
前記関連するディメンションのいずれが前記レポートに含まれるかを識別するステップと、
前記レポートを変更するために前記フィールド・ペインを表示するステップであって、前記フィールド・ペインはアクティブ・タブとオール・タブを含み、前記アクティブ・タブは前記レポートに含まれるよう選択された前記関連するディメンションの全てをリストし、前記データ領域は展開したフォーマットで表示されて、各データ領域に関連する前記ディメンションの少なくとも一部を示す、ステップと、
ユーザーが前記オール・タブを選択することを可能にするステップと、および
選択すると、前記データ領域の全てをリストする前記オール・タブと前記スプレッドシートにおける前記関連するディメンションを表示するステップであって、前記データ領域は折りたたんだフォーマットで表示され、前記ディメンションは隠される、ステップ
を含む、方法。
【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
オブジェクトを視覚的にナビゲートする方法であって、
ファイル内においてオブジェクトのタイプを決定するステップであって、前記ファイルが他のコンテンツを含む、ステップと、
オブジェクトの前記タイプの各々を編成するステップであって、オブジェクトの前記タイプの各々が、表、チャートまたはスプレッドシートの内の１つ以上を含むようにし、関係するオブジェクトがリンクされる、ステップと、
オブジェクトの前記タイプの決定した編成にしたがって、ナビゲーション可能な表示上に前記オブジェクトの各々を図式的なオブジェクトとして表示するステップと、
オブジェクトの前記タイプ間でナビゲートするステップと、
オブジェクトの前記タイプの内の１つにドリル・ダウンする相互作用を受けるステップと、
オブジェクトの前記タイプの内の１つにドリル・ダウンする相互作用を受けたことに応答して、オブジェクトの前記１つのタイプのビューを更新するステップと、
更新された前記ビューで、前記１つのタイプのオブジェクトの前記表、チャートまたはスプレッドシートの１つにドリル・ダウンする相互作用を受けるステップと、
更新された前記ビューで、前記１つのタイプのオブジェクトの前記表、チャートまたはスプレッドシートの１つにドリル・ダウンする相互作用を受けたことに応答して、前記表、チャートまたはスプレッドシートの内の前記１つのビューを更新するステップと、
を含む、方法。
【請求項２】
請求項１記載の方法において、前記ファイル内において前記オブジェクトのタイプを決定するステップが、スプレッドシート・ファイル内に含まれるオブジェクト前記タイプを決定するステップを含む、方法。
【請求項３】
請求項２記載の方法であって、更に、データー・ソース・オブジェクトを、前記決定されたオブジェクトの少なくとも一部と関係付けるステップを含み、前記決定されたオブジェクトの前記少なくとも一部へのドリル・ダウンに応答して、前記関係付けられたデーター・ソース・オブジェクトが表示されるようにする、方法。
【請求項４】
請求項１記載の方法において、オブジェクトの前記タイプの各々を編成するステップが、オブジェクトの前記タイプの自動編成およびオブジェクトの前記タイプの手作業による編成の内少なくとも１つを決定するステップを含む、方法。
【請求項５】
請求項１記載の方法において、相互作用を受ける前記ステップのいずれも、前記相互作用がソート動作、フィルタリング動作、ドリル・ダウン動作、およびドリル・アップ動作の内少なくとも１つであるときを決定するステップを含む、方法。
【請求項６】
請求項１記載の方法において、相互作用を受ける前記ステップのいずれも、前記指示が前記ナビゲーション可能な表示に対する更新であるときを決定するステップであって、前記更新が、他のオブジェクトを示すために前記ナビゲーション可能な表示をパンニングすること、および前記ナビゲーション可能な表示の拡大縮小を変更することの内少なくとも１つを含む、ステップを含む、方法。
【請求項７】
オブジェクトを視覚的にナビゲートするためのコンピューター実行可能命令を有するコンピューター読み取り可能媒体であって、前記命令が、
表オブジェクト、チャート・オブジェクト、スプレッドシート・オブジェクト、グラフ・オブジェクト、およびデーターを含むデーター・ソース・オブジェクト、の定めたオブジェクトのタイプの内２つ以上を含む電子オブジェクト・ソースからオブジェクトを決定し、前記電子オブジェクト・ソースが他のコンテンツを含み、
前記オブジェクトをタイプによって自動的に編成し、
タイプにより編成した前記オブジェクトをナビゲーション可能な表示上に前記編成にしたがって表示し、
オブジェクトの前記タイプ間でナビゲートし、
オブジェクトの前記タイプの内の１つにドリル・ダウンする相互作用を受け、
オブジェクトの前記タイプの内の１つにドリル・ダウンする相互作用を受けたことに応答して、オブジェクトの前記１つのタイプのビューを更新し、
更新された前記ビューで、前記１つのタイプのオブジェクトの前記表、チャートまたはスプレッドシートの１つにドリル・ダウンする相互作用を受け、
更新された前記ビューで、前記１つのタイプのオブジェクトの前記表、チャートまたはスプレッドシートの１つにドリル・ダウンする相互作用を受けたことに応答して、前記表、チャートまたはスプレッドシートの内の前記１つのビューを更新する、
ことを含む、コンピューター読み取り可能媒体。
【請求項８】
オブジェクトを視覚的にナビゲートするためのシステムであって、
ディスプレイと、
マルチテナント・サービスのテナントに結合されるネットワーク接続と、
プロセッサーとコンピューター読み取り可能媒体と、
前記コンピューター読み取り可能媒体に格納され、前記プロセッサーにおいて実行する動作環境と、
前記動作環境の制御下で動作するプロセスと、
を含み、
前記プロセスが、
表オブジェクト、チャート・オブジェクト、スプレッドシート・オブジェクト、グラフ・オブジェクト、およびデーターを含むデーター・ソース・オブジェクト、の定めたオブジェクトのタイプの内２つ以上を含む電子オブジェクト・ソースからオブジェクトを決定する動作であって、前記電子オブジェクト・ソースが他のコンテンツを含む、動作と、
前記オブジェクトをタイプによって自動的に編成する動作と、
タイプにより編成した前記オブジェクトをナビゲーション可能な表示上に前記編成にしたがって表示する動作と、
オブジェクトの前記タイプ間でナビゲートする動作と、
オブジェクトの前記タイプの内の１つにドリル・ダウンする相互作用を受ける動作と、
オブジェクトの前記タイプの内の１つにドリル・ダウンする相互作用を受けたことに応答して、オブジェクトの前記１つのタイプのビューを更新する動作と、
更新された前記ビューで、前記１つのタイプのオブジェクトの前記表、チャートまたはスプレッドシートの１つにドリル・ダウンする相互作用を受ける動作と、
更新された前記ビューで、前記１つのタイプのオブジェクトの前記表、チャートまたはスプレッドシートの１つにドリル・ダウンする相互作用を受けたことに応答して、前記表、チャートまたはスプレッドシートの内の前記１つのビューを更新する動作と、
を含む動作を実行するよう動作する、システム。
【請求項９】
請求項８記載のシステムであって、更に、オブジェクト毎に、前記オブジェクトがデーター・ソース・オブジェクトからのデーターを使用するときを決定する動作と、前記ナビゲーション可能な表示内において前記データー・ソース・オブジェクトを表示する動作を含む、システム。
【請求項１０】
請求項８記載のシステムにおいて、相互作用を受ける前記動作のいずれも、前記相互作用がソート動作、フィルタリング動作、ドリル・ダウン動作、およびドリル・アップ動作の内少なくとも１つであるときを決定する動作と、前記指示が前記ナビゲーション可能な表示に対する更新であるときを決定する動作であって、前記更新が、他のオブジェクトを示すために前記ナビゲーション可能な表示をパンニングすること、および前記ナビゲーション可能な表示の拡大縮小を変更することの内少なくとも１つを含む、動作と、を含む、システム。
【手続補正書】
【提出日】平成27年10月19日(2015.10.19)
【手続補正１】
【補正対象書類名】特許請求の範囲
【補正対象項目名】全文
【補正方法】変更
【補正の内容】
【特許請求の範囲】
【請求項１】
コンピューティング装置のための３次元タッチタイプ入力システムであって、
入力装置へ固定して結合され、３つの赤外線信号を放射する３つの赤外線エミッタと、
前記３つの赤外線エミッタから放射された前記３つの赤外線信号を受信するよう構成される前記コンピューティング装置へ固定して結合される２つの位置センサであり、該２つの位置センサの夫々は、前記３つの赤外線エミッタから放射された前記３つの赤外線信号の夫々について２つの２次元方向を検知するよう構成され、前記２つの位置センサは、併せて６つの２次元方向を検知する、前記２つの位置センサと、
前記２つの位置センサによって検知された前記６つの２次元方向を使用して、前記入力装置の位置づけ、又は前記コンピューティング装置の主たる面の上にある空間の容量内における前記入力装置の先端の３次元位置のうちの少なくとも１つを決定するよう構成されるプロセッサと
を有する３次元タッチタイプ入力システム。
【請求項２】
前記赤外線信号は、前記入力装置から前記コンピューティング装置へデジタル通信チャネルを供給するよう変調される、
請求項１に記載の３次元タッチタイプ入力システム。
【請求項３】
前記２つの位置センサの夫々は、アノード及びカソードを備える位置敏感型ダイオードを有し、前記アノード及び前記カソードの夫々は、前記２つの位置センサの夫々１つのふた組の相対する側面に配置されている４つの接点を連帯して提供するように、２つの接点を有し、前記４つの接点は、前記２つの位置センサの夫々１つの面に入射する光の重心を示す光電流の検知に適応するよう構成される、
請求項１に記載の３次元タッチタイプ入力システム。
【請求項４】
前記コンピューティング装置の前記主たる面の上の前記空間の容量内で焦点面を提供する広角レンズを更に有し、
前記２つの位置センサのうちの少なくとも１つは、前記広角レンズへ結合される、
請求項１に記載の３次元タッチタイプ入力システム。
【請求項５】
前記入力装置はスタイラスタイプ装置である、
請求項１に記載の３次元タッチタイプ入力システム。
【請求項６】
前記入力装置は、前記コンピューティング装置とは別個であり、バッテリにより給電され、当該入力装置が使用されていない場合のための電力節約機能を有する、
請求項１に記載の３次元タッチタイプ入力システム。
【請求項７】
コンピューティング装置の光ナビゲーションのための方法であって、
入力装置へ固定して結合されている３つの赤外線エミッタから放射された３つの赤外線信号を、該３つの赤外線信号を受信するよう構成される前記コンピューティング装置へ固定して結合される２つの位置センサによって検知するステップであって、前記２つの位置センサの夫々は、前記３つの赤外線エミッタから放射された前記３つの赤外線信号の夫々について２つの２次元方向を検知するよう構成され、前記２つの位置センサは、併せて６つの２次元方向を検知する、ステップと、
プロセッサにより、前記２つの位置センサによって検知された前記６つの２次元方向を使用して、前記入力装置の位置づけ、又は前記コンピューティング装置の主たる面の上にある空間の容量内における前記入力装置の先端の３次元位置のうちの少なくとも１つを決定するステップと
を有する方法。
【請求項８】
前記赤外線信号は、前記入力装置から前記コンピューティング装置へデジタル通信チャネルを供給するよう変調される、
請求項７に記載の方法。
【請求項９】
前記２つの位置センサの夫々は、アノード及びカソードを備える位置敏感型ダイオードを有し、前記アノード及び前記カソードの夫々は、前記２つの位置センサの夫々１つのふた組の相対する側面に配置されている４つの接点を連帯して提供するように、２つの接点を有し、前記４つの接点は、前記２つの位置センサの夫々１つの面に入射する光の重心を示す光電流の検知に適応するよう構成される、
請求項７に記載の方法。
【請求項１０】
広角レンズにより、前記コンピューティング装置の前記主たる面の上の前記空間の容量内で焦点面を提供するステップを更に有し、
前記２つの位置センサのうちの少なくとも１つは、前記広角レンズへ結合される、
請求項７に記載の方法。
【手続補正２】
【補正対象書類名】明細書
【補正対象項目名】発明の名称
【補正方法】変更
【補正の内容】
【発明の名称】３次元タッチタイプ入力システム及び光ナビゲーション方法
【手続補正書】
【提出日】平成27年10月13日(2015.10.13)
【手続補正１】
【補正対象書類名】特許請求の範囲
【補正対象項目名】全文
【補正方法】変更
【補正の内容】
【特許請求の範囲】
【請求項１】
携帯用分析装置であって、
複数の分析補助手段（２２）を備えるテストテープ（２０）を含む、交換可能なテストテープカセット（１８）と、
前記分析補助手段（２２）の連続的な供給のために前記テストテープカセット（１８）に連結可能なＤＣモータ（３０）および伝動装置（３４、３６）を備えるテープ駆動部（１４）と、
前記ＤＣモータ（３０）の回転速度の制御のための制御装置（１６）と
を備え、
前記制御装置（１６）が、モータ駆動シャフト（３２）の実回転速度を記録するために、前記ＤＣモータ（３０）上に配置される回転式ピックアップ（３８）を備えることを特徴とする携帯用分析装置。
【請求項２】
前記携帯用分析装置が、血糖検査用であることを特徴とする請求項１記載の携帯用分析装置。
【請求項３】
前記回転式ピックアップ（３８）が、前記回転速度に比例する電気パルスレートを出力信号として生成する間に、前記モータ駆動シャフト（３２）の回転を光学的にサンプリングする電気工学エンコーダ（４０）を備えることを特徴とする請求項１または２記載の携帯用分析装置。
【請求項４】
前記回転式ピックアップ（３８）が、前記モータ駆動シャフト（３２）上に回転不能に設置される遮断装置（４２）と、前記携帯用分析装置に固定され、前記遮断装置（４２）と相互作用する光バリア（４４）とを備えることを特徴とする請求項１〜３のいずれか１項に記載の携帯用分析装置。
【請求項５】
前記遮断装置（４２）が、羽根付ホイールまたは有孔円盤であることを特徴とする請求項４記載の携帯用分析装置。
【請求項６】
前記光バリヤ（４４）が、フォークライトバリアであることを特徴とする請求項４または５記載の携帯用分析装置。
【請求項７】
タイムクロックパルスを生成するために形成されるクロック生成器（６２）と、前記回転式ピックアップ（３８）の出力信号（５８）の２つの信号エッジの間で、タイムクロックパルスを計数するカウンター（６４）とにより特徴付けられる請求項１〜６のいずれか１項に記載の携帯用分析装置。
【請求項８】
前記制御装置（１６）が、前記実回転速度と、制御変数として特定される設定点回転速度との制御差を形成するためのコンパレータ（４６）を備えることを特徴とする請求項１〜７のいずれか１項に記載の携帯用分析装置。
【請求項９】
前記制御装置（１６）が、設定点回転速度を閉制御ループで調整するための、入力側において制御差を適用可能な制御プロセッサ（５０）を備えることを特徴とする請求項１〜８のいずれか１項に記載の携帯用分析装置。
【請求項１０】
前記制御プロセッサ（５０）が、ソフトウェアルーチンにより形成される比例制御要素および積分制御要素（５２、５４）を備えることを特徴とする請求項９記載の携帯用分析装置。
【請求項１１】
前記制御装置（１６）が、作動要素（５６）として、パルス幅が変調されたＤＣ電圧を用いて、前記ＤＣモータ（３０）を駆動させるためのパルス幅変調器を備えることを特徴とする請求項１〜１０のいずれか１項に記載の携帯用分析装置。
【請求項１２】
前記制御装置（１６）が、０．１〜０．２５秒の範囲にある調整時間で、１５±２ｍｍ／秒の前記テストテープ（２０）のテープ速度を達成するために構成されることを特徴とする請求項１〜１１のいずれか１項に記載の携帯用分析装置。
【請求項１３】
前記制御装置（１６）が、前記分析補助手段（２２）のそれぞれの供給に関する一定の供給時間にしたがって、最新の設定点回転速度を定めるための設定点値生成器（６６）を備えることを特徴とする請求項１〜１２のいずれか１項に記載の携帯用分析装置。
【請求項１４】
前記ＤＣモータ（３０）の設定点回転速度の値が、連続して番号を付された分析補助手段の検査番号にそれぞれ割り当てられている、設定点値テーブルを記憶するための設定点値メモリ（７０）により特徴付けられる請求項１〜１３のいずれか１項に記載の携帯用分析装置。
【請求項１５】
前記テストテープカセット（１８）が、最新で供給されるべき前記分析補助手段（２２）の検査番号の使用に応じた保管のための保管手段（６８）を備えることを特徴とする請求項１〜１４のいずれか１項に記載の携帯用分析装置。
【請求項１６】
前記保管手段（６８）が、ＲＦＩＤチップとして形成されることを特徴とする請求項１５記載の携帯用分析装置。
【請求項１７】
前記分析補助手段（２２）が、環境から保護されているストックスプール（２６）からテープの搬送によって引き出され、塗布部位（２４）で供給され得ることを特徴とする請求項１〜１６のいずれか１項に記載の携帯用分析装置。
【請求項１８】
複数の分析補助手段（２２）を備えるテストテープ（２０）が、携帯用分析装置において交換可能なテストテープカセット（１８）の形態で用いられ、前記分析補助手段（２２）が、テープ駆動部（１４）によって連続して供給され、前記テープ駆動部（１４）のＤＣモータ（３０）の回転速度が、制御装置（１６）によって制御されている携帯用分析装置を操作する方法であって、モータ駆動シャフト（３２）の実回転速度が、前記ＤＣモータ（３０）上に配置された、前記制御装置（１６）の回転式ピックアップ（３８）によって記録されることを特徴とする方法。
【請求項１９】
前記携帯用分析装置が、請求項１〜１７のいずれか１項に記載の携帯用分析装置であることを特徴とする請求項１８記載の方法。
【手続補正書】
【提出日】平成27年9月8日(2015.9.8)
【手続補正１】
【補正対象書類名】特許請求の範囲
【補正対象項目名】全文
【補正方法】変更
【補正の内容】
【特許請求の範囲】
【請求項１】
医療環境における音分析に基づく医療モニタリングシステムであって、
音レベル分析器であって、患者付近の音を示す音響信号を受信するように構成され、複数の音イベントからの知覚音レベルに対する指標を提供することができる、音レベル分析器と、
データ記憶モダリティであって、前記音レベル分析器から前記複数の音イベントからの知覚音レベルに対する前記指標を受信及び記憶し、音による影響下にある患者の身体及び／又は精神状態を示す情報を扱う関連患者モニタリングシステムから対応情報を受信及び記憶するように構成される、データ記憶モダリティと、
音イベント分析器であって、前記データ記憶モダリティから、前記複数の音イベントからの知覚音レベルに対する前記指標を、及び前記関連患者モニタリングシステムから前記対応情報を受信し、さらに規定時間窓内で、音によって影響され得る前記患者の身体及び／又は精神状態に関する全体的音分析を実行するように構成される、音イベント分析器と、
前記音レベル分析器と協働する音シーン分析器であって、前記音シーン分析器が、医療環境における患者付近の音を示す前記音響信号を受信するように構成され、及び前記患者周辺の医療環境における一つ若しくはそれ以上の音源のリストを得るように前記音響信号を分析し分類するように構成され、前記一つ若しくはそれ以上の音源の分類は、前記患者の安静及び／又は睡眠に対する悪影響の考えられる源を特定するために前記全体的音分析において適用される、音シーン分析器とを有するシステム。
【請求項２】
前記音イベント分析器が、前記音源のリストから識別された音イベントを回避可能／回避不能音源に分類するように構成される、請求項１に記載の医療モニタリングシステム。
【請求項３】
前記音イベント分析器が、患者モニタリングシステム及び／又は病院中央モニタリングデータベースからの情報に基づかれる訓練に基づき、必須及び従って回避不能アラーム音を不要及び従って回避可能なものから区別するように構成される、請求項２に記載の医療モニタリングシステム。
【請求項４】
前記音レベル分析器が知覚ラウドネスを提供するための知覚モデルを有する、請求項１に記載の医療モニタリングシステム。
【請求項５】
前記音レベル分析器がさらに蓄積音量の尺度を提供する、請求項１に記載の医療モニタリングシステム。
【請求項６】
前記関連患者モニタリングシステムが前記患者の身体活動レベルに関する情報を有する、請求項１に記載の医療モニタリングシステム。
【請求項７】
前記関連患者モニタリングシステムが、ＥＥＧ、ＥＣＧ、ＥＯＧ、ＥＭＧなどの電気診断、アクティグラフ、運動検出、ビデオベースモニタリング及び／又は音ベースモニタリングを有するリストから得られる情報を有する、請求項６に記載の医療モニタリングシステム。
【請求項８】
前記全体的音分析が前記患者の安静及び／又は睡眠の質及び／又は量に関する情報を有する、請求項１に記載の医療モニタリングシステム。
【請求項９】
前記全体的音分析が、
平均音レベル、
前記知覚モデルに基づく音インパクト、
回復期間の推定、
推定不快感、及び／又は、
全体的睡眠／安静指標、場合により定性的指標、
の一つ以上の尺度を有する、請求項８に記載の医療モニタリングシステム。
【請求項１０】
前記モニタリングシステムが第１の複数の患者を第２の複数のマイクでモニタリングするように構成され、前記マイクが前記モニタリングシステムと通信するように構成される、請求項１に記載の医療モニタリングシステム。
【請求項１１】
前記モニタリングシステムが一つ以上の通信装置と通信するように構成され、前記通信装置が医療関係者、随意に訪問者及び／又は患者によってアクセス可能である、請求項１に記載の医療モニタリングシステム。
【請求項１２】
医療環境における音分析に基づく医療モニタリングシステムを作動させるための方法であって、
音レベル分析器を設けるステップであって、前記音レベル分析器が患者付近の音を示す音響信号を受信するように構成され、複数の音イベントからの知覚音レベルに対する指標を提供することができる、ステップと、
データ記憶モダリティを設けるステップであって、前記データ記憶モダリティが前記音レベル分析器から前記複数の音イベントからの知覚音レベルに対する前記指標を受信及び記憶し、音による影響下にある患者の身体及び／又は精神状態を示す情報を扱う関連患者モニタリングシステムから対応情報を受信及び記憶するように構成される、ステップと、
音イベント分析器を設けるステップであって、前記音イベント分析器が前記複数の音イベントからの知覚音レベルに対する前記指標を前記データ記憶モダリティから、及び前記対応情報を前記関連患者モニタリングシステムから受信し、さらに規定時間窓内で、音によって影響され得る前記患者の身体及び／又は精神状態に関する全体的音分析を実行するように構成される、ステップと、
前記音レベル分析器と協働する音シーン分析器を設けるステップであって、前記音シーン分析器が、医療環境における患者付近の音を示す前記音響信号を受信するように構成され、及び前記患者周辺の医療環境における一つ若しくはそれ以上の音源のリストを得るように前記音響信号を分析し分類するように構成され、前記一つ若しくはそれ以上の音源の分類は、前記患者の安静及び／又は睡眠に対する悪影響の考えられる源を特定するために前記全体的音分析において適用される、ステップとを有する方法。
【請求項１３】
それと関連するデータ記憶手段を持つ少なくとも一つのコンピュータを有するコンピュータシステムが、請求項１２に記載の医療環境における音分析に基づく医療モニタリングシステムを制御することを可能にするように構成されるコンピュータプログラム製品。
【手続補正書】
【提出日】平成27年9月14日(2015.9.14)
【手続補正１】
【補正対象書類名】特許請求の範囲
【補正対象項目名】全文
【補正方法】変更
【補正の内容】
【特許請求の範囲】
【請求項１】
コンピュータにより実施される方法であって、
発話されたトリガ・ワードの認識に応答して、アプリケーションに関するアプリケーション・コンテキストに関連するユーザ・インタフェースにコンテキスト・メニューを提示するステップであって、前記コンテキスト・メニューが、音声コマンドによってナビゲーションされ得る少なくとも１つの他のアプリケーション・コンテキストを含む、ステップと、
前記発話されたトリガ・ワードの前記認識の後の特定の時間間隔以内に、前記少なくとも１つの他のアプリケーション・コンテキストに関連するコンテキスト・ワードの音声入力を認識するステップと、
前記コンテキスト・ワードの前記音声入力の前記認識に応答して、前記アプリケーション・コンテキストに関連する前記ユーザ・インタフェースから前記少なくとも１つの他のアプリケーション・コンテキストに関連するユーザ・インタフェースへナビゲーションするステップと
を含む、方法。
【請求項２】
前記アプリケーションはゲーム・アプリケーションを含み、前記アプリケーション・コンテキストに関連する前記ユーザ・インタフェースは、前記少なくとも１つの他のアプリケーション・コンテキストに関連する前記ユーザ・インタフェースとは異なるゲーム機能のセットを含む、請求項１に記載の方法。
【請求項３】
前記提示するステップが、１つ又は複数のコンテキスト固有の基準に基づいてアプリケーション・コンテキストのセットをフィルタリングして、前記少なくとも１つの他のアプリケーション・コンテキストを決定するステップを含み、
前記コンテキスト固有の基準が、前記アプリケーションの属性、前記アプリケーションが実行されているデバイスの属性又は前記デバイスのユーザの属性、のうちの１つ又は複数を含む、請求項１に記載の方法。
【請求項４】
前記ナビゲーションするステップが、ユーザからの追加の入力とは無関係に、前記コンテキスト・ワードの前記音声入力の前記認識に応答して行われる、請求項１に記載の方法。
【請求項５】
ゲーム・アプリケーションのためのプログラムであって、コンピューティング・デバイスによって実行されると、該コンピューティング・デバイスに、
前記ゲーム・アプリケーションの第１のゲーム・コンテキストに関連するユーザ・インタフェースが表示されている間に、トリガ・ワードの音声入力の指示を受信させ、
前記ゲーム・アプリケーションに関する１つ又は複数のフィルタリング基準を使用してゲーム・コンテキストのセットをフィルタリングして、１つ又は複数の利用可能なゲーム・コンテキストのセットを生成させ、
前記１つ又は複数の利用可能なゲーム・コンテキストのセットを、前記第１のゲーム・コンテキストに関連する前記ユーザ・インタフェースの一部として表示させ、
追加のユーザ入力とは無関係に、前記利用可能なゲーム・コンテキストの１つ又は複数についての音声での選択の指示に応答して、前記ゲーム・アプリケーションの第２のゲーム・コンテキストに関連するユーザ・インタフェースへナビゲーションさせる
プログラム。
【請求項６】
ゲーム・アプリケーションを備えた１つ又は複数のコンピュータ読取可能記憶媒体であって、前記ゲーム・アプリケーションは、コンピューティング・デバイスによって実行されると、該コンピューティング・デバイスに、
前記ゲーム・アプリケーションの第１のゲーム・コンテキストに関連するユーザ・インタフェースが表示されている間に、トリガ・ワードの音声入力の指示を受信させ、
前記ゲーム・アプリケーションに関する１つ又は複数のフィルタリング基準を使用してゲーム・コンテキストのセットをフィルタリングして、１つ又は複数の利用可能なゲーム・コンテキストのセットを生成させ、
前記１つ又は複数の利用可能なゲーム・コンテキストのセットを、前記第１のゲーム・コンテキストに関連する前記ユーザ・インタフェースの一部として表示させ、
追加のユーザ入力とは無関係に、前記利用可能なゲーム・コンテキストの１つ又は複数についての音声での選択の指示に応答して、前記ゲーム・アプリケーションの第２のゲーム・コンテキストに関連するユーザ・インタフェースへナビゲーションさせる、
１つ又は複数のコンピュータ読取可能記憶媒体。
【請求項７】
前記第１のゲーム・コンテキスト又は前記第２のゲーム・コンテキストのうちの一方が、ゲーム・カスタマイズ機能に関連付けられ、前記第１のゲーム・コンテキスト又は前記第２のゲーム・コンテキストのうちの他方が、ゲーム・プレイ機能に関連付けられる、請求項６に記載の１つ又は複数のコンピュータ読取可能記憶媒体。
【請求項８】
前記フィルタリング基準が、前記コンピューティング・デバイスの属性又は前記コンピューティング・デバイスのユーザの属性、のうちの１つ又は複数に基づく、請求項６に記載の１つ又は複数のコンピュータ読取可能記憶媒体。
【請求項９】
前記フィルタリング基準が、前記コンピューティング・デバイスのネットワーク接続性のステータスを含む、請求項６に記載の１つ又は複数のコンピュータ読取可能記憶媒体。
【請求項１０】
前記フィルタリング基準が、ユーザに関連する前記ゲーム・アプリケーションに関するアカウント会員レベル、前記ユーザに関連するアクセス許可又は前記ユーザの年齢のうちの１つ又は複数を含む、請求項６に記載の１つ又は複数のコンピュータ読取可能記憶媒体。
【手続補正書】
【提出日】平成27年8月17日(2015.8.17)
【手続補正１】
【補正対象書類名】特許請求の範囲
【補正対象項目名】全文
【補正方法】変更
【補正の内容】
【特許請求の範囲】
【請求項１】
コンピュータが実行する処理方法であって、
テキストの入力を受信するステップと、
前記テキストの入力を受信して前記テキストに基づいて実行された検索に応答して、前記テキストに基づいて実行された前記検索により発見された複数の表現物の中で選択を可能にするステップと、
前記複数の表現物のうち選択される表現物の選択に応答して、選択された表現物を自叙インタフェースにおいて提示するステップと、
期限の選択を可能にするステップと、
選択される期限の選択及び選択された期限の経過に応答して、前記選択された表現物を前記自叙インタフェースから削除するステップと
を有する処理方法。
【請求項２】
前記複数の表現物は、アイコン、画像、ラベル、オーディオ表現、オーディオビジュアル表現、ゲーム又は動画図形を含む、請求項１に記載の処理方法。
【請求項３】
前記選択された表現物は、オーディオ表現、オーディオビジュアル表現又はゲームを含み、
前記選択された表現物を自叙インタフェースにおいて提示するステップにおいて、前記オーディオ表現、前記オーディオビジュアル表現又は前記ゲームに関連する視覚的インジケータを提示し、
当該処理方法は、
前記自叙インタフェース内の前記視覚的インジケータにより、前記オーディオ表現、前記オーディオビジュアル表現又は前記ゲームに関する選択をイネーブルにするステップと、
前記オーディオ表現、前記オーディオビジュアル表現又は前記ゲームに関連する前記視覚的インジケータの選択に応答して、前記オーディオ表現に関するオーディオを再生すること、前記オーディオビジュアル表現に関するオーディオ及び映像を再生すること、又は前記ゲームのプレイを実行することを行うステップと
を更に有する請求項１に記載の処理方法。
【請求項４】
前記選択された表現物を削除する前に、前記選択された表現物の古さ又は経過時間を視覚的に示すステップを更に有する請求項１に記載の処理方法。
【請求項５】
前記自叙インタフェースに関する個人についての情報に基づいて、該個人に関する他の表現物を決定するステップと、
前記自叙インタフェースにより前記他の表現物を提示するステップと、
前記他の表現物の選択を可能にするステップと、
前記他の表現物のうち選択される他の表現物の選択に応じて、選択された他の表現物を前記自叙インタフェースにおいて提示するステップと
を更に有する請求項１に記載の処理方法。
【請求項６】
コンピュータが実行する処理方法であって、
個人を表現する複数の表現物を自叙インタフェースにおいて提示するステップと、
第１の複数の表現物により、ゲーム、オーディオ表現又はオーディオビジュアル表現に関する第１の選択を可能にするステップと、
前記第１の複数の表現物による前記第１の選択に応じて、関連するゲームの開始、関連するオーディオの再生、又は関連するビデオの再生を行うステップと、
第２の複数の表現物により、前記第２の複数の表現物に関する情報についての第２の選択を可能にするステップと、
前記第２の選択に応じて、前記第２の複数の表現物に関する前記情報を提示するステップと
を有する処理方法。
【請求項７】
関連するオーディオの再生又は関連するビデオの再生が、前記自叙インタフェースにおいて実行される、請求項６に記載の処理方法。
【請求項８】
前記情報が、前記第２の複数の表現物に関する第三者による確認証を含む、請求項６に記載の処理方法。
【請求項９】
前記情報は、前記第２の複数の表現物、前記第２の複数の表現と前記個人との間の関連性、又は、前記個人についての追加的な情報を提示する、請求項６に記載の処理方法。
【請求項１０】
前記自叙インタフェースが表示段を示し、個人を表現する複数の表現物を自叙インタフェースにおいて提示するステップにおいて、前記複数の表現物を前記表示段上で提示する、請求項６に記載の処理方法。
【請求項１１】
請求項１〜１０のうち何れか１項に記載の処理方法をコンピュータに実行させるコンピュータプログラム。
【請求項１２】
請求項１１に記載のコンピュータプログラムを記憶する記憶媒体。